(57)【要約】　　　（修正有）【課題】　短時間での冷却ができ、同時に大幅に放熱器の体積を縮小することが可能な放熱器の改良構造を提供する。【解決手段】主に金属基座１と小型ポンプ４０と可撓性を持つ金属のヒートパイプ３０により構成する。金属基座１に底座１０を設け、底座１０内部の凹槽１１に複数の凸柱８０を設ける。ヒートパイプ３０は湾曲し放熱面３１を形成し、ファン２５を放熱面に相対する位置に設置する。ＣＰＵ等の発熱体は底座１０の下方に接触させる。実施時には凹槽１１とヒートパイプ内に冷却液を充満させ、電源を入れ、小型ポンプ４０を起動する。【選択図】図２
0003099876.tif 000002
【実用新案登録請求の範囲】
【請求項１】
　金属基座と小型ポンプと可撓性を持つ金属のヒートパイプにより構成されており、
　該金属基座は、内部に冷却液を蓄える中空の容槽が設けられており、該容槽は入水口と出水口を具有し、基座上には孔を具有する平台が連結されており、平台上にはファンが設けられており、
　該小型ポンプは、入水口と出水口を具有し、該小型ポンプの入水口は金属基座の出水口と連結されており、
　該可撓性を持つ金属のヒートパイプは、一端は金属基座の入水口と連結されており、もう一端は小型ポンプの出水口と連結されており、ヒートパイプの中段部は湾曲され放熱面を形成しており、該放熱面は前述のファンと相対しており、
　前記の構造により、放熱器の体積を有効的に縮小でき、強制循環冷却を応用し、更にファンを利用することで良好な放熱を行うことができることを特徴とする放熱器の改良構造。
【請求項２】
　前記金属基座は、底座と蓋体により構成されており、
　該底座は、内部に凹槽が設けられており、凹槽の２箇所に半円形溝が設けられており、凹槽内には伝熱効果を高める複数の凸柱が設けられており、
　該蓋体は、底座と相対しており、２箇所に半円形溝が設けられており、そのそれぞれの位置に、前述の入水口、出水口が嵌合しており、
　該底座の凹槽と蓋体の面上には枠体が設けられており、縁辺部にはボルトによる固定を行うためのねじ穴が設けられており、両者の間にはガスケットが設けられていることを特徴とする請求項１に記載の放熱器の改良構造。
【請求項３】
　前記金属基座は、底座と蓋体により構成されており、
　該底座は、内部に凹槽が設けられており、凹槽の２箇所に入水口と出水口が形成されており、
　該蓋体は、底座と相対しており、蓋面の内部には伝熱効果を高める複数の凸柱が設けられており、蓋面の外側にはＣＰＵを設置する凹部が設けられており、
　該底座の凹槽と蓋体の面上には枠体が設けられており、縁辺部にはボルトによる固定を行うためのねじ穴が設けられており、両者の間にはガスケットが設けられていることを特徴とする請求項１に記載の放熱器の構造改良。
【請求項４】
　上記金属基座は、アルミ又は銅のいずれかにより製造されており、
　可撓性を持つ金属のヒートパイプの両端は蓄圧パイプと連結されており、中段部は渦巻形や、或いは直線を折り曲げた柵状の形状等であることを特徴とする請求項１に記載の放熱器の構造改良。
【請求項５】
　上記平台は、金属基座の上部に連結されているか、或いは柱によって金属基座の上方に設置されていることを特徴とする請求項１に記載の放熱器の構造改良。
【請求項６】
　上記小型ポンプは、単一の入水口と単一の出水口を具有し、ブラッシュレスモーターにより羽根を動かすことにより、汲水構造を形成することを特徴とする請求項１に記載の放熱器の改良構造。
【請求項７】
　上記小型ポンプは、鉄芯コイルにより、カバー内部の永久磁石を含む可動柱を往復運動させることにより、汲水構造を形成し、入水口内部に設けられた２つの通道は、それぞれ出水口と連結していることを特徴とする請求項１に記載の放熱器の改良構造。
【考案の詳細な説明】
【技術分野】
【０００１】
　本考案は、放熱器の改良構造に係り、特に良好な放熱効果を具有し、放熱速度の速い、デスクトップコンピュータやノートブックコンピュータ等への応用に適する放熱器の改良構造に関わる。
【背景技術】
【０００２】
　図１は公知構造における比較的高校率の放熱器であり、主にノートブックコンピュータ内部のＣＰＵの放熱に使用されている。薄型の放熱体Ａを具有し、該放熱体Ａには一側面に数本の銅管Ａ１が設けられており、各銅管Ａ１は湾曲し、２方向に分かれており、末端は複数のフィンＡ２を具有する塊体と連結しており、同時に該フィンＡ２を具有する塊体は箱体Ｂと連結しており、箱体Ｂ内にはファンＣが設けられている。薄型の放熱体ＡはＣＰＵの下方に設置されており、放熱体ＡとＣＰＵは接触しており、ＣＰＵから発生する熱は放熱体Ａから銅管Ａ１を伝わり、その後フィンＡ２に伝わり、ファンＣから発生する風を受け、有効的に放熱される。
【０００３】
　しかしながら、熱を銅管からフィンに伝え、ファンからの風により冷却する方法は冷却効率にあまり優れておらず、コンピュータを長時間使用する場合、その冷却効果が良くないため、適時に放熱を行うことができず、そのためコンピュータの温度は上昇し続け、ＣＰＵの限界温度を超えてしまい、コンピュータのフリーズ現象やＣＰＵの破損をもたらしてしまうことが最大の欠点である。さらにフィンと銅管による放熱方法では、フィンの表面積を大きくするため、体積が大きくなり、外形が精緻で、内部空間に制限があるノートブックコンピュータに対しては特に理想的ではない。
【特許文献１】特開２００３−２０９３８５号公報
【特許文献２】特開２００２−２０３９２８号公報
【考案の開示】
【考案が解決しようとする課題】
【０００４】
　上記公知構造の欠点を解決するため、本考案は、短時間での冷却ができ、同時に大幅に放熱器の体積を縮小することが可能な放熱器の改良構造を提供することを課題とする。
【課題を解決するための手段】
【０００５】
　本考案は、主に金属基座と小型ポンプと可撓性を持つ金属のヒートパイプにより構成されており、該金属基座内部には冷却液を蓄える中空の容槽が設けられており、該容槽は出水口と入水口を具有し、基座上には平台が連結されており、平台上にはファンが設けられており、該小型ポンプは金属基座の側面上に設置されており、小型ポンプの入水口は、金属基座の出水口と連結されており、該小型ポンプの出水口は前述の可撓性を持つ金属のヒートパイプと連結されており、該可撓性を持つ金属のヒートパイプの中段は湾曲され放熱面を形成しており、ヒートパイプのもう一端は、金属基座の入水口と連結されており、放熱面はファンと相対しており、前記の構造により、放熱器の体積を有効的に縮小でき、強制循環冷却を応用し、更にファンを利用することで良好な放熱を行うことができることを特徴とする放熱器の改良構造である。
　すなわち、本考案は以下の特徴を有する。
（１）金属基座と小型ポンプと可撓性を持つ金属のヒートパイプにより構成されており、
　該金属基座は、内部に冷却液を蓄える中空の容槽が設けられており、該容槽は入水口と出水口を具有し、基座上には孔を具有する平台が連結されており、平台上にはファンが設けられており、
　該小型ポンプは、入水口と出水口を具有し、該小型ポンプの入水口は金属基座の出水口と連結されており、
　該可撓性を持つ金属のヒートパイプは、一端は金属基座の入水口と連結されており、もう一端は小型ポンプの出水口と連結されており、ヒートパイプの中段部は湾曲され放熱面を形成しており、該放熱面は前述のファンと相対しており、
　前記の構造により、放熱器の体積を有効的に縮小でき、強制循環冷却を応用し、更にファンを利用することで良好な放熱を行うことができることを特徴とする放熱器の改良構造。
（２）前記金属基座は、底座と蓋体により構成されており、
　該底座は、内部に凹槽が設けられており、凹槽の２箇所に半円形溝が設けられており、凹槽内には伝熱効果を高める複数の凸柱が設けられており、
　該蓋体は、底座と相対しており、２箇所に半円形溝が設けられており、そのそれぞれの位置に、前述の入水口、出水口が嵌合しており、
　該底座の凹槽と蓋体の面上には枠体が設けられており、縁辺部にはボルトによる固定を行うためのねじ穴が設けられており、両者の間にはガスケットが設けられていることを特徴とする請求項１に記載の放熱器の改良構造。
（３）前記金属基座は、底座と蓋体により構成されており、
　該底座は、内部に凹槽が設けられており、凹槽の２箇所に入水口と出水口が形成されており、
　該蓋体は、底座と相対しており、蓋面の内部には伝熱効果を高める複数の凸柱が設けられており、蓋面の外側にはＣＰＵを設置する凹部が設けられており、
　該底座の凹槽と蓋体の面上には枠体が設けられており、縁辺部にはボルトによる固定を行うためのねじ穴が設けられており、両者の間にはガスケットが設けられていることを特徴とする請求項１に記載の放熱器の構造改良。
（４）上記金属基座は、アルミ又は銅のいずれかにより製造されており、
　可撓性を持つ金属のヒートパイプの両端は蓄圧パイプと連結されており、中段部は渦巻形や、或いは直線を折り曲げた柵状の形状等であることを特徴とする請求項１に記載の放熱器の構造改良。
（５）上記平台は、金属基座の上部に連結されているか、或いは柱によって金属基座の上方に設置されていることを特徴とする請求項１に記載の放熱器の構造改良。
（６）上記小型ポンプは、単一の入水口と単一の出水口を具有し、ブラッシュレスモーターにより羽根を動かすことにより、汲水構造を形成することを特徴とする請求項１に記載の放熱器の改良構造。
（７）上記小型ポンプは、鉄芯コイルにより、カバー内部の永久磁石を含む可動柱を往復運動させることにより、汲水構造を形成し、入水口内部に設けられた２つの通道は、それぞれ出水口と連結していることを特徴とする請求項１に記載の放熱器の改良構造。
【考案の効果】
【０００６】
　全体の構造を簡素化することで、公知構造の放熱器の体積が大きいという欠点を大幅に改善し、ファンを具有するだけでなく、強制循環冷却管と冷却液を具有することにより、熱を高速に放熱できる。
【０００７】
　アルミ製基座の突片の位置は、コンピュータのマザーボード内の位置に合わせて設置することができ、同時にヒートパイプは可撓性を持つので、状況に合わせて角度や位置を調整することができ、他の部品に接触することを避けることができる。
【０００８】
　更に進んだ有効的な部品の配置にすることにより、放熱器全体を更に縮小することが可能で、ノートブックパソコンへの使用に便利である。
【０００９】
　本考案の構造は、局部的に手を加えた後、この種の高効能の放熱方式をデスクトップパソコンやその他の製品上に使用することも可能である。
【考案を実施するための最良の形態】
【００１０】
　本考案は、主に金属基座と小型ポンプと可撓性を持つ金属のヒートパイプにより構成されており、該金属基座内部には冷却液を蓄える中空の容槽が設けられており、該容槽は出水口と入水口を具有し、基座上には平台が連結されており、平台上にはファンが設けられており、該小型ポンプは金属基座の側面上に設置されており、小型ポンプの入水口は、金属基座の出水口と連結されており、該小型ポンプの出水口は前述の可撓性を持つ金属のヒートパイプと連結されており、該可撓性を持つ金属のヒートパイプの中段は湾曲され放熱面を形成しており、ヒートパイプのもう一端は、金属基座の入水口と連結されており、放熱面はファンと相対しており、前記の構造により、放熱器の体積を有効的に縮小でき、強制循環冷却を応用し、更にファンを利用することで良好な放熱を行うことができることを特徴とする放熱器の改良構造であり、本考案の好適な実施例を図面に沿って説明する。
【実施例１】
【００１１】
　図２，３，４に示すように、本考案は主に金属基座１と小型ポンプ４０と可撓性を持つ金属のヒートパイプ３０により構成されている。
【００１２】
　前記金属基座１はアルミ、或いは銅でできた底座１０が設けられており、その内部には凹槽１１が設けられており、該凹槽１１の２箇所には半円形溝１１２、１１３が設けられており、凹槽１１の内部には複数の凸柱８０が設けられており、該アルミ製底座１０上には孔を具有する平台１４が連結されており、平台１４上にはファン２５が設置されている。
【００１３】
　前記底座１０の上部には蓋体１５が設けられており、底座１０と相対しており、２箇所に半円形溝１５２，１５３が設けられており、底座１０の半円形溝１１２，１１３と嵌合することにより入水口１３と出水口１６を形成している。
【００１４】
　前記底座１０と蓋体１５の面上には枠体５０が設けられており、両者は縁辺部に設けられたねじ穴１７にねじを通すことにより固定され、両者の間にはガスケット２０が設けられており、それにより内部の液体が浸出せず、凹槽１１は液体を蓄えられるように中空の容槽１９を形成している。
【００１５】
　前記可撓性を持つ金属のヒートパイプ３０の中段部は渦巻形になっており、放熱面３１を形成している。
【００１６】
　上記小型ポンプ４０は出水口４１と入水口４２を具有し、直流ブラッシュレスモーター４３により羽根を動かし汲水を行う（図１３を参照）。該小型ポンプ４０は金属基座１の側面に設置されており、該入水口４２は底座１０の半円形溝１１２内に連結されており、出水口４１はヒートパイプ３０に連結されており、該ヒートパイプ３０のもう一端は、底座１０の半円形溝１１３に連結されている。
【００１７】
　放熱面３１はファン２５と相対しており、ファン２５から吹き出す風を受ける（正面、側面を含む）。
【００１８】
　蓋体１５により小型ポンプ４０とヒートパイプを挟合し、放熱器の構造が完成する。
【００１９】
　使用時には中空の容槽１９とヒートパイプ３０内に冷却液を充満させ、金属基座１の下方にマザーボード７０のＣＰＵ７１の上面を接触させる。
【００２０】
　図６に示すようにＣＰＵ７１の熱は凸柱８０から凹槽１１に伝わり、吸収したＣＰＵ７１の熱は冷却液６０に伝わる。
【００２１】
　電源を入れた後、小型ポンプ４０が起動し、凹槽１１内の冷却液６０はヒートパイプ３０内に送り込まれ、冷却液６０はファン２５による風を受け温度が下降し、最後に再び金属基座１内に流れるという強制循環冷却を応用し、更にファン２３を加えた構造により、良好な放熱効果を達成できる。
【００２２】
　図７に示すように、本考案を採用した組合せは簡潔なだけでなく、底座１０の側部に連結される平台１４は、製造時コンピュータのマザーボード内部の空間に合わせて配置を選ぶことができ、更にヒートパイプの持つ可撓性を利用することで適度に角度を調整でき、他の部品やハードディスクに接触することを避けることができる。
【実施例２】
【００２３】
　図８，９に示すように、本考案の第二実施例として、可撓性を持つ金属のヒートパイプ３０は両端に蓄圧パイプ３５を嵌入しており、中段はコイル状に湾曲され放熱面３１を形成しており、ヒートパイプ３０の中心にファン２５が設置されており、ヒートパイプ３０の一端は金属基座１の入水口４２と、もう一端は小型ポンプ４０の出水口４１と連結されている。
【００２４】
　金属基座１の底座１０は内部に凹槽１１が設けられており、凹槽１１の２箇所には前述の入水口１３と出水口１６が設けられており、蓋体１５は底座１０と相対しており、伝熱効果を高める複数の凸柱８０が蓋体１５の内面に設けられており、蓋面の外側にはＣＰＵを設置するための前述凹穴１８が設けられている。
【００２５】
　前記凹槽１１と蓋体１５の面上には枠体５０が設けられており、縁辺部にはボルトによる固定を行うためのねじ穴１７が設けられており、両者の間にはガスケット２０が設けられている。
【００２６】
　組み立てられた放熱器を使用する時、フィン２５をコイル状の放熱面３１内に設置することができ、金属基座１の下方には凹穴１８が設けられており、マザーボード７０のＣＰＵ７１を設置することができる。
【００２７】
　本実施例は前例の設計よりも体積を更に有効に縮小できるため、外観が薄いノートブックコンピュータへの使用に適している。
【００２８】
　ヒートパイプ３０の両端には蓄圧パイプ３５が設けられており、冷却液６０を蓄える効果と蓄圧の２重の効果があり、冷却液６０の輸送時発生する衝撃を調整し、製品の寿命を確保することができ、パイプの破裂により冷却液６０が外部に浸出し、冷却効果を失うことを防ぐことができる。
【実施例３】
【００２９】
　本考案をデスクトップコンピュータやその他各種のコンピュータに適用させるために、放熱器は本来の横に並べる方式から直立式にすることができ、金属基座１上のファン２５を設置した平台１４を上方に折り曲げ、可撓性を持つ金属のヒートパイプ３０の中段部の放熱面３１は直線を折り曲げた柵状の形状にし、放熱面３１はファン２５と相対するようにする。
【００３０】
　実施時は、図１０に示すように、平台１４と基座１がＬ型を呈する配置にするにしても、平台１４と基座１がコ型を呈する配置にしても（図なし）、図１１に示すように、平台１４を除去し、基座１の四隅に連結柱２６を設け、放熱器を直立式にすることで、幅を縮小し、デスクトップパソコンに使用する。
【００３１】
　図１２，１３に示すように、本考案の実施により、汲水上優れた効果を得ることができる。小型ポンプの４０の入水口４１と出水口４２上には逆止弁９が設けられており、実施時には該入水口４１と出水口４２の近端部には凹槽４１１，４２１が設けられており、凹槽４１１，４２１の内径周縁には段状突柱４１２，４２２が設けられており、段上突柱４１２，４２２上には片体４１３，４２３（図１２を参照）が設けられている。
【００３２】
　使用時は、本考案の金属基座１とヒートパイプ３０内に冷却液６０を充満させ、電源を入れた後、小型ポンプが起動し、冷却液６０は入水口４２から吸入され、小型ポンプ４０の吸力により片体４２３は段状突柱４２２の段状部に吸い付き、冷却液６０は段状突柱４２２間の隙間から流れ込む。
【００３３】
　図１３に示すように、出水口４１１の段状突柱４１２間の隙間を通り、ヒートパイプ内に流れる過程において、冷却液６０は逆流することはなく、正常な流れを維持している。
【００３４】
　図１４，１５，１６，１７に示すように、本考案の小型ポンプ４０は鉄芯コイル４９により、カバー内部の永久磁石を含む可動柱４８を往復運動させることにより、汲水構造を形成することが可能である。小型ポンプ４０の入水口４２内部は２つの通道４ａ、４ｂに分かれており、それぞれ出水口４１に連結されており、２つの通道４ａ、４ｂに分かれた入水口４２と出水口４１には上述の逆止弁９が設けられており、電源を入れた後、小型ポンプ４０は汲水を開始し、入水口４２の一つの通道４ａから入水し、極性転換が行われ、吸入した冷却液６０は出水口４２に向け押し出され、同時に入水口４２のもう一つの通道４ｂからは入水が開始し（図１６を参照）、極性転換が再び行われた時、吸入された冷却液６０は再び出水口４２に向け押し出される（図１７を参照）。
【００３５】
　上述の実施例は、本考案の比較的すぐれた実施例を示すもので、本考案の実施の範囲を限定するものではない。
【図面の簡単な説明】
【００３６】
【図１】公知構造における放熱体の立体外観図である。
【図２】本考案の第一実施例における部品分解図である。
【図３】本考案の第一実施例における立体外観図である。
【図４】本考案の第一実施例における断面図である。
【図５】本考案の第一実施例における冷却液の流れを示した図である。
【図６】本考案の第一実施例における使用状態を示した図である。
【図７】本考案における底座と平台のもう一つの応用例を示した図である。
【図８】本考案の第二実施例における局部立体分解図である。
【図９】本考案の第二実施例における断面図である。
【図１０】本考案の第三実施例における立体外観図である。
【図１１】本考案の第四実施例における立体外観図である。
【図１２】本考案の実施例における入出水口の拡大立体図である。
【図１３】本考案におけるポンプの動作を示した断面図である。
【図１４】本考案におけるポンプの動作を示した断面図である。
【図１５】本考案におけるポンプの動作を示した断面図である。
【図１６】本考案におけるポンプの動作を示した断面図である。
【図１７】本考案におけるポンプの動作を示した断面図である。
【符号の説明】
【００３７】
　A　　放熱体
　A1　 延伸片
　B　　箱体
　C　　ファン
　１　　金属基座
　１０　アルミ底座
　１１　凹槽
　１１２半円形溝
　１１３半円形溝
　１３　入水口
　１４　平台
　１５　蓋体
　１５２半円形溝
　１５３半円形溝
　１６　出水口
　１７　ねじ穴
　１８　凹穴
　１９　中空の容槽
　２０　ガスケット
　２５　ファン
　２６　連結柱
　３０　ヒートパイプ
　３１　放熱面
　３５　蓄圧パイプ
　４０　小型ポンプ
　４２　入水口
　４１１凹槽
　４１２段状突柱
　４１３片体
　４２１凹槽
　４２２段状突柱
　４２３片体
　４４　羽根
　４ａ　通道
　４ｂ　通道
　４８　可動柱
　４９　コイル
　５０　枠体
　６０　冷却液
　７０　マザーボード
　７１　ＣＰＵ
　８０　凸柱
　９　　逆止弁
【図１】
0003099876.tif 000003
【図２】
0003099876.tif 000004
【図３】
0003099876.tif 000005
【図４】
0003099876.tif 000006
【図５】
0003099876.tif 000007
【図６】
0003099876.tif 000008
【図７】
0003099876.tif 000009
【図８】
0003099876.tif 000010
【図９】
0003099876.tif 000011
【図１０】
0003099876.tif 000012
【図１１】
0003099876.tif 000013
【図１２】
0003099876.tif 000014
【図１３】
0003099876.tif 000015
【図１４】
0003099876.tif 000016
【図１５】
0003099876.tif 000017
【図１６】
0003099876.tif 000018
【図１７】
0003099876.tif 000019